(57)【要約】【課題】スムーズに出し入れできるキャスター付き引出しを備えたキャビネット構造を提供する。【解決手段】キャビネット本体２の底側に収納される閉位置からキャビネット本体２の前方へ引き出される開位置に亘り、前後方向に移動可能にキャスター７付きの引出し６を設け、キャスター付きの引出し６の前後方向移動をガイドし、かつ閉位置において引出し６の前板６ａと当接し、開位置では引出し６のクッション１１と当接して、ストッパーとなる車輪１０を備えたガイド部材を、キャビネット本体２の底側横フレーム２ｃに固設して構成する。【選択図】図４
2013042967.tif 000002
【特許請求の範囲】
【請求項１】
キャビネット本体の底側に収納される閉位置から、キャビネット本体の前方へ引き出される開位置に亘り、前後方向に移動可能にキャスター付きの引出しを配設し、
該キャスター付きの引出しの前後方向移動をガイドし、かつ前記閉位置および開位置でのストッパーとなる車輪を備えたガイド部材を、前記キャビネット本体に固設した
ことを特徴とするキャビネット構造。
【請求項２】
前記ガイド部材を、キャビネット本体を構成するフレームに固設したことを特徴とする請求項１に記載のキャビネット構造。
【発明の詳細な説明】
【技術分野】
【０００１】
本発明は、キャスター付きの引出しを後付けできるキャビネットの構造に関するものである。
【背景技術】
【０００２】
従来、特許文献１に開示されているように、キャスター付き引出しを、キャビネットの外に出し入れ可能な、キッチン用ベースキャビネットが存在する。
【先行技術文献】
【特許文献】
【０００３】
【特許文献１】特開２００５−１４３８３０号公報
【発明の概要】
【発明が解決しようとする課題】
【０００４】
上記特許文献１に開示されているキャスター付き引出しでは、ベースキャビネットから引き出したり、ベースキャビネットに入れる際に、キャスターが蛇行し、スムーズに出し入れできない状態が生ずるという問題点があり、また、ストッパーがないため、入れた状態あるいは引き出した状態で停止させることはできず、引出しとして良好に使用することができないという問題点があった。
【課題を解決するための手段】
【０００５】
本発明は、蛇行することなくスムーズに出し入れすることができ、しかも閉位置および開位置で良好に止めることができるキャスター付きの引出しを備えたキャビネット構造の提供を目的とし、この目的の少なくとも一部を達成するために以下の手段を採った。
本発明のキャビネット構造は、キャビネット本体の底側に収納される閉位置から、キャビネット本体の前方へ引き出される開位置に亘り、前後方向に移動可能にキャスター付きの引出しを配設し、
該キャスター付きの引出しの前後方向移動をガイドし、かつ前記閉位置および開位置でのストッパーとなる車輪を備えたガイド部材を、前記キャビネット本体に固設したことを要旨とする。
【発明の効果】
【０００６】
キャビネット本体に固設したガイド部材の車輪が、キャスター付きの引出しを出し入れする際のガイドとなり、キャスター付き引出しを蛇行することなくキャビネット本体に対しスムーズに出し入れすることができるものとなり、また、車輪がストッパーとなって、キャスター付きの引出しを引き出した位置で停止させることができ、また、キャスター付きの引出しをキャビネット本体の底側に収納させた状態でも良好に停止させることができ、キャスター付き引出しを通常のレール引出しと同様に使用することができ、使用勝手が良好なものとなる。
【０００７】
また、本発明のキャビネット構造において、前記ガイド部材を、キャビネット本体を構成するフレームに固設したものとすることもできる。
こうすれば、キャビネット本体を設置した状態で、キャビネット本体の底側のフレームにガイド部材を固設して、ガイド部材を後付けすることにより、キャスター付き引出しをキャビネット本体の底側に追設できるものとなる。
【図面の簡単な説明】
【０００８】
【図１】キャビネット本体の底側にキャスター付き引出しを収納した状態の洗面台の斜視構成図である。
【図２】底側のキャスター付き引出しを前方側へ引き出した状態の洗面台の斜視構成図である。
【図３】キャスター付き引出しの収納状態の洗面台の側面配置構成図である。
【図４】キャスター付き引出しを引き出した状態の洗面台の側面配置構成図である。
【図５】キャスター付き引出しを収納した時のキャビネット本体に対する配置状態を示す平面構成図である。
【図６】引出しを引き出した時のキャビネット本体に対する配置状態を示す平面構成図である。
【図７】ガイド部材の平面構成図である。
【図８】ガイド部材の正面構成図である。
【図９】ガイド部材の側面拡大構成図である。
【図１０】キャビネット本体側のフレームとガイド部材の分解斜視図である。
【図１１】左右に分割したガイド部材をキャビネット本体のフレームに取り付ける前の分解斜視図である。
【図１２】変更例を示し、引出しを引き出した時の配置状態を示す平面構成図である。
【発明を実施するための形態】
【０００９】
次に、本発明を実施するための形態を実施例を用いて説明する。
図１は、キャビネット本体の底側に引出しを収納した状態の洗面台の斜視構成図であり、図２は、底側の引出しを前方側へ引き出した状態の洗面台の斜視構成図である。また、図３は、引出しを収納した状態の洗面台の側面構成図であり、図４は、引出しを前方側へ引き出した状態の洗面台の側面構成図である。さらに、図５は、引出しを収納した時のキャビネット本体に対する配置状態を示す平面構成図であり、図６は、引出しを前方側へ引き出した時の配置状態を示す平面構成図である。
【００１０】
洗面台１は、キャビネット本体２の上面にカウンター３が載置されて構成され、カウンター３には、洗面ボウル３ａが設けられ、後方側に水栓４が立設されている。
また、キャビネット本体２の左右側面には側板２ａが設けられ、キャビネット本体２の前面側には扉５が設けられている。
【００１１】
キャビネット本体２は、アルミニウム製の縦フレーム，横フレームで骨組みされており、下方側に向かって脚部２ｂ，２ｂが垂設されている。
このキャビネット本体２の左右の脚部２ｂ，２ｂ間に、キャスター付きの引出し６が配置されており、引出し６は、キャビネット本体２の底側に収納される閉位置から、キャビネット本体２の前方側へ引き出される開位置に亘り、前後方向に移動可能である。
【００１２】
引出し６は、前板６ａと、左右側の側板６ｂ，６ｂと、底板６ｃと、背面側の背板６ｄにより、上面側が開放された収納空間Ｓを形成しており、収納空間Ｓ内に収納物を収納できるものである。
なお、左右の側板６ｂ，６ｂは、背板６ｄよりも更に後方側へ向かって延びており、背板６ｄが、キャビネット本体２の底側に設けられている配管ボックスＢと干渉しないように構成されている。
なお、背板６ｄは、前板６ａおよび左右の側板６ｂ，６ｂの高さよりも高さが低く設定されている。
引出し６の下面には、複数のキャスター７，７，７が取り付けられており、このキャスター７，７が床面上を転動することにより、引出し６を床面上で自由に移動させることができる。
【００１３】
キャビネット本体２の底側の横フレーム２ｃから後方側へ延びてキャビネット本体２の底板２ｄが配置されているが、横フレーム２ｃの下面には、車輪１０，１０を備えた図７および図８に示すようなガイド部材９がビスにより取り付け固定されており、引出し６がキャビネット本体２の底側に収納された閉状態（図１および図３および図５）では、ガイド部材の車輪１０，１０に引出しの前板６ａの裏面が当接し、車輪１０，１０がストッパーとなって引出し６が閉状態で停止されるものである。
【００１４】
また、引出し６の左右の側板６ｂ，６ｂの背板６ｄよりも後方側の内側面には、それぞれクッション１１，１１が金具を介して取り付けられており、引出し６を前方へ引き出した開状態（図２および図４および図６）では、このクッション１１，１１が車輪１０，１０に当接して引出し６が開状態で停止されるものである。
なお、左右の車輪１０，１０は引出し６の左右の側板６ｂ，６ｂの上端内面に当接した状態に配置されており、引出し６を前後方向に移動させる際に、車輪１０，１０が左右の側板６ｂ，６ｂに沿って転動し、車輪１０，１０にガイドされて引出し６は蛇行することなくスムーズに前後方向に移動することができるものである。
【００１５】
このように左右側に配置された車輪１０，１０により、引出し６の前後方向移動がガイドされ、かつ、引出し６の閉位置および開位置では、車輪１０，１０がストッパーの役目を果たし、これにより引出し６は通常のレール引出しと同様にスムーズに前後方向に移動して、所定位置で停止させることができ、通常のレール引出しと同様の使用勝手が得られる。
【００１６】
なお、キャビネット本体２の底側の横フレーム２ｃに取り付け固定されるガイド部材９は、図７において平面図で、また図８において正面図で、また図９において側面拡大図で示すような構造となっており、図１０では、ガイド部材９をキャビネット本体側の横フレーム２ｃに取り付ける前の分解図を示す。
【００１７】
ガイド部材９は、ビス孔９ｄを有する水平状の固定片９ａの後端に、垂直に垂直片９ｂが一体化されており、垂直片９ｄの下端から、後方側へ水平に延びて水平支持片９ｃが一体形成されており、この水平支持片９ｃの下面に軸部１０ａが垂設されて、軸部１０ａの下端に水平面内で回転可能に車輪１０が設けられている。この車輪１０は、ガイド部材９の左右端側にそれぞれ設けられている。
【００１８】
なお、キャビネット本体の底側の横フレーム２ｃは、上面片２１と平行な底片２２間が立上片２３で連結されており、この立上片２３の下端には、底片２２から連続して後方側へ延びる取付片２４が形成されている。
この横フレーム２ｃの取付片２４に対し、ガイド部材９の固定片９ａを下面側から当接させて、ビス孔９ｄ内に下方からビス１３を差し込み、ビス１３を横フレーム２ｃの取付片２４に締め付けることで、横フレーム２ｃの取付片２４にガイド部材９をビス１３を介して後付けすることができる。
即ち、キャビネット本体２を購入して設置した後であっても、キャビネット本体の横フレーム２ｃにガイド部材９を取り付けて、後発的に引出し６を設けて、キャビネットアレンジを簡単に行うことができるものである。
【００１９】
なお、引出し６は前後方向にスムーズに移動して、引出しとして良好に使用することができるが、図４のように前方側へ引き出した状態で、前板６ａの上端に設けられている取っ手８に指を掛けて上方へ持ち上げ、前方側へ引き出すことにより、クッション１１が車輪１０を乗り越え、引出し６を完全に前方側へ引き出すことができ、キャビネット本体２から完全に引出し６を引き出した状態では、引出し６は床面を転がしながら自由に移動させることができるものである。
【００２０】
なお、図１１にはガイド部材の変更例を示す。
図１１では、左右のガイド部材９，９が分割されたものであり、このように分割された左右のガイド部材９を、キャビネット本体の横フレーム２ｃの下面の左右端側にビス１３で取り付けて構成しても、左右のガイド部材９，９にそれぞれ設けられている車輪１０，１０が、引出し６の側板６ｂ，６ｂの内面に当接して、引出し６の前後方向への移動時に引出し６を良好にガイドすることができ、しかも、車輪１０は引出し６の閉状態では、引出しの前板６ａの裏面に当接し、また、引出し６を引き出した開状態では、車輪１０がクッション１１に当接して、車輪１０はストッパーの役目を良好に果たすことができるものである。
【００２１】
なお、図１２の平面配置構成図で示すように、キャビネット本体２の左右の脚部２ｂ，２ｂに別の車輪１２，１２をそれぞれ取り付け、この車輪１２，１２をそれぞれ引出し６の側板６ｂ，６ｂの外面に当接するように配置しておけば、ガイド部材９の車輪１０が側板６ｂの内面に当接し、別の車輪１２が側板６ｂの外面に当接して、車輪１０と車輪１２で側板６ｂを挟み込むことができ、これにより、引出し６を前後方向に移動させる際に、がたつきが少なくなり、極めてスムーズに引出し６を前後方向に移動させることができるものとなる。
【符号の説明】
【００２２】
１  洗面台
２  キャビネット本体
２ａ  側板
２ｂ  脚部
２ｃ  底側横フレーム
３  カウンター
６  引出し
６ａ  前板
６ｂ  側板
６ｃ  底板
６ｄ  背板
７  キャスター
９  ガイド部材
９ａ  固定片
９ｃ  水平支持片
１０  車輪
１０ａ  軸部
１１  クッション
１２  車輪
１３  ビス
Ｓ  収納空間
【図１】
2013042967.tif 000003
【図２】
2013042967.tif 000004
【図３】
2013042967.tif 000005
【図４】
2013042967.tif 000006
【図５】
2013042967.tif 000007
【図６】
2013042967.tif 000008
【図７】
2013042967.tif 000009
【図８】
2013042967.tif 000010
【図９】
2013042967.tif 000011
【図１０】
2013042967.tif 000012
【図１１】
2013042967.tif 000013
【図１２】
2013042967.tif 000014